(57)【要約】【課題】  本発明は、クリック感（操作感）を向上でき、また、外枠に引出しを押し込む際に指を挟んでしまう恐れを回避しつつ、外枠に対し引出しをしっかりと位置決めでき、また、小規模の地震等による振動が加わった場合にも、引出しが前方に出てきてしまって、収納ケースが棚等から落下しやすくなることを防止する収納ケースを提供する。【解決手段】  本発明は、外枠２と、外枠２に対し押し込み及び引き出しが可能である引出し３と、を備えた収納ケース１であって、引出し３の下面に突出する山状部７を有すると共に、外枠２に、山状部７が嵌まる凹部８を有し、引出し３を外枠２に対して押し込んでいく際、山状部７が、外枠２における引出し用開口部４と凹部８との間の凹部前方部９を乗り越えて、凹部８に嵌まり込むようになっていることを特徴とする収納ケース１である。【選択図】  図２
2005080709.tif 000002
【特許請求の範囲】
【請求項１】
外枠と、該外枠に対し押し込み及び引き出しが可能である引出しと、を備えた収納ケースであって、
前記引出しの下面に突出する山状部を有すると共に、前記外枠に、前記山状部が嵌まる凹部を有し、
前記引出しを前記外枠に対して押し込んでいく際、前記山状部が、前記外枠における引出し用開口部と前記凹部との間の凹部前方部を乗り越えて、前記凹部に嵌まり込むようになっていることを特徴とする収納ケース。
【請求項２】
前記引出しの前記山状部は、頂部の両側に傾斜面を有し、前記引出しの押し込み方向の奥側の傾斜面より手前側の傾斜面が急な傾斜となっており、
前記引出しを前記外枠に対して押し込んでいく際、前記山状部の前記頂部が、前記凹部前方部を乗り越えたところで、前記引出しの前記山状部が、自重により下方に落ちて前記外枠の凹部に嵌まり込むようになっていることを特徴とする請求項１に記載の収納ケース。
【請求項３】
前記凹部の形状は、前記山状部が前記凹部に嵌まり込んだ際に、前記山状部の形状に対応する形状であることを特徴とする請求項２に記載の収納ケース。
【発明の詳細な説明】
【技術分野】
【０００１】
本発明は、外枠と、内部に衣類等の物品を入れた状態で、該外枠に対し押し込み及び引き出しが可能である引出しと、を備えた収納ケースに関するものである。
【背景技術】
【０００２】
従来から、直方体状の外形を有し、内部に直方体状の空間が形成されている外枠と、収納部を有し、収納部に衣類等の物品を入れた状態で、該外枠に対し挿脱可能であり、外枠に挿入する際に手で掴む前側部を有する引出しと、を備えた収納ケースが知られている。
この従来の収納ケースにおいては、引出しを外枠に挿入した際、引出しの前側部の後面側が外枠に係合することで、外枠に対して引出しが位置決めされるようになっている（例えば、特許文献１参照。）。
【特許文献１】特開２００２−３２５６６４号公報
【発明の開示】
【発明が解決しようとする課題】
【０００３】
しかしながら、上記従来技術としての収納ケースにおいては、引出しをしっかりと押し込まないと、引出しが外枠に対して僅かに引き出された状態となりやすく、見栄えが悪くなってしまうという問題があった。これに対応するため、引出しの前側部を指で掴んで、前側部の後面側が外枠に接するまで押し込むと、クリック感（操作感）が悪く、また、前側部と外枠との間に指を挟んでしまう恐れもあった。
【０００４】
また、上記従来技術としての収納ケースにおいては、例えば、小規模の地震等により振動が加わった場合、簡単に引出しが前方に出てきてしまい、引出しに収納された衣類等の物品の荷重等により収納ケースが棚等から落下しやすくなる等の不具合が生じていた。
【０００５】
本発明は、以上のような問題点を解決するものであり、クリック感（操作感）を向上でき、外枠に引出しを押し込む際に指を挟んでしまう恐れを回避しつつ、外枠に対し引出しをしっかりと位置決めでき、また、小規模の地震等による振動が加わった場合にも、引出しが前方に出てきてしまって、収納ケースが棚等から落下しやすくなることを防止する収納ケースに関するものである。
【課題を解決するための手段】
【０００６】
本発明は、外枠と、該外枠に対し押し込み及び引き出しが可能である引出しと、を備えた収納ケースであって、
前記引出しの下面に突出する山状部を有すると共に、前記外枠に、前記山状部が嵌まる凹部を有し、
前記引出しを前記外枠に対して押し込んでいく際、前記山状部が、前記外枠における引出し用開口部と前記凹部との間の凹部前方部を乗り越えて、前記凹部に嵌まり込むようになっていることを特徴とする収納ケースである。
【０００７】
この構成によれば、外枠に対し、手により引出しを完全に押し込む前に、引出しが自動的に外枠に対して押し込まれていくので、クリック感（操作感）を向上でき、また、指を挟んでしまう恐れを回避しつつ、容易に、外枠に対して引出しを完全に押し込むことができ、見栄えを良くすることができる。
また、外枠に対して引出しを押し込んだ状態において、引出しの山状部が外枠の凹部に嵌まり込んでいるため、例えば、小規模の地震等により振動が加わった場合でも、引出しが前方に出てきてしまって引出しに収納された衣類等の物品の荷重等により収納ケースが棚等から落下する等の不具合を防止できる。
【０００８】
また、本発明において、前記引出しの前記山状部は、頂部の両側に傾斜面を有し、前記引出しの押し込み方向の奥側の傾斜面より手前側の傾斜面が急な傾斜となっており、
前記引出しを前記外枠に対して押し込んでいく際、前記山状部の前記頂部が、前記凹部前方部を乗り越えたところで、前記引出しの前記山状部が、自重により下方に落ちて前記外枠の凹部に嵌まり込むようになっていても良い。
【０００９】
この構成によれば、引出しを押し込む際、手前側の傾斜面よりもなだらかな傾斜の奥側の傾斜面が外枠の下側内面に上方から接するので、引出しを押し込む抵抗が大きくなって操作感が悪くなることを防止できる。また、引出しは、山状部の頂部が、凹部前方部を乗り越えたところで、自重により下方に落ちて、引出しの山状部が外枠の凹部に嵌まり込むようになっているので、クリック感（操作感）を向上でき、また、容易に、外枠に対して引出しを完全に挿入することができる。
【００１０】
また、本発明において、前記凹部の形状は、前記山状部が前記凹部に嵌まり込んだ際に、前記山状部の形状に対応する形状であっても良い。
【００１１】
この構成によれば、外枠の凹部に対する引出しの山状部の嵌まり込む位置を正確にでき、外枠に対して引出しを完全に挿入することができる。
【発明の効果】
【００１２】
本発明によれば、外枠に対し、手により引出しを完全に押し込む前に、引出しが自動的に外枠に対して押し込まれていくので、クリック感を向上でき、また、指を挟んでしまう恐れを回避しつつ、容易に、外枠に対して引出しを完全に押し込むことができ、見栄えを良くすることができる。
また、外枠に対して引出しを押し込んだ状態において、引出しの山状部が外枠の凹部に嵌まり込んでいるため、例えば、小規模の地震等により振動が加わった場合でも、引出しが前方に出てきてしまって引出しに収納された衣類等の物品の荷重等により収納ケースが棚等から落下する等の不具合を防止できる。
【発明を実施するための最良の形態】
【００１３】
以下，本発明の実施の形態につき、図面を参照して，説明する。
図１は、本発明の実施の形態による収納ケース１を示す斜視図である。
本発明の実施の形態による収納ケース１は、外枠２と、内部に衣類等の物品を入れた状態で、外枠２に対し押し込み及び引き出しが可能な引出し３と、を備えている。ここで、外枠２と引出し３は、共に、合成樹脂製となっている。
【００１４】
外枠２は、直方体状の外形を有し、内部に直方体状の空間が形成され、前側（図１における紙面略右側、図２における紙面右側）に、引出し３を挿入する略長方形状の引出し用開口部４が備えられている。また、図４、５におけるように、外枠２における底部５内面には、前側から奥側に亘って、互いに平行に延びる２本の外枠側レール６が設けられている。また、図２、４におけるように、外枠２における底部５内面には、２本の外枠側レール６の各々よりも外側かつ前側に、後述の引出し３の山状部７に対応する形状であり、引出し３を外枠２に押し込んだ際に、山状部７が嵌まりこむ、２つの凹部８が形成されており、引出し用開口部４と凹部８との間には、凹部前方部９が形成されている。
【００１５】
引出し３は、上方が開口されており、底部１６と、側壁１７と、外枠２に押し込む際に手で掴む前カバー部１０と、を備えている。
引出し３は、衣類等の物品を入れた状態で、外枠２の引出し用開口部４から挿入でき、外枠２に対し押し込み及び引き出しが可能となっている。また、図１、３におけるように、引出し３には、引出し３の底部１６から下方に突出して、手前側から奥側に亘って、互いに平行に延び、２本の外枠側レール６に外側から係合する、２本の引出し側レール１１が設けられている。尚、図５は、２本の外枠側レール６の各々に、２本の引出し側レール１１が外側から係合した状態を示している。また、底部１６、側壁１７、前カバー部１０、及び、外枠側レール６は、一体成形された一部品となっている。
【００１６】
図３におけるように、２本の引出し側レール１１の各々における奥端部には、切り欠き部１２が形成されており、切り欠き部１２を支点として、引出し３の前側が上下方向に移動できるようになっている。また、２本の引出し側レール１１の各々における前側には、山状部７が形成されている。山状部７は、頂部１３の両側に傾斜面１４、１５があり、引出し３の押し込み方向の奥側の傾斜面１４より手前側の傾斜面１５が急な傾斜となっている。
【００１７】
また、山状部７に対しては、潤滑剤が塗布されており、引出し３の押し込みによって山状部７が移動する際、山状部７に潤滑剤が塗布されていることにより、山状部７の凹部前方部９等に対する滑りが良くなるようになっている。
【００１８】
引出し３は、山状部７の奥側の傾斜面１４が外枠２の底部５内面に上方から接して、一旦、上方へ移動した後に、頂部１３から続く急な手前側の傾斜面１５が凹部８に嵌まり出すことで、自重により下方に落ちて、引出し３の山状部７が外枠２の凹部８に嵌まり込むようになっている。
【００１９】
次に、本発明の実施の形態による収納ケース１の外枠２に引出し３を押し込む動作につき、説明する。
図２（ａ）におけるように、外枠２の外枠側レール６の外側に引出し３の引出し側レール１１が係合するように、外枠２に対し引出し３を位置決めした状態で、外枠２前部の引出し用開口部４から引出し３を押し込み始めると、図２（ｂ）におけるように、引出し３は、山状部７のなだらかな奥側の傾斜面１４が外枠２の底部５内面に上方から接して、一旦、上方へ移動し始める。尚、引出し側レール１１の奥端部には、切り欠き部１２が形成されているため、切り欠き部１２を支点として、引出し３の前側が上方に移動できるものである。
【００２０】
その後、引出し３の山状部７の頂部１３が、外枠２の凹部前方部９に乗り上げた状態で、引出し３が奥側へ移動し、凹部前方部９を乗り越えたところで、引出し３の山状部７の頂部１３が、外枠２の凹部８に嵌まり出し、また、頂部１３から続く急な手前側の傾斜面１５が凹部８に嵌まり出すことで、自重により下方に落ちて、図２（ｃ）におけるように、引出し３の山状部７が外枠２の凹部８に嵌まり込むようになっている。
【００２１】
本発明の実施の形態による収納ケース１においては、外枠２に対し、手により引出し３を完全に押し込む前に、引出し３が自動的に外枠２に対して押し込まれていく（引出し３が自動的に外枠２に引き込まれていく）ので、クリック感（操作感）を向上でき、また、指を挟んでしまう恐れを回避しつつ、容易に、外枠２に対して引出し３を完全に押し込むことができ、見栄えを良くすることができる。
【００２２】
また、外枠２に対して引出し３を押し込んだ状態において、引出し３の山状部７が外枠２の凹部８に嵌まり込んでいるため、例えば、小規模の地震等により振動が加わった場合でも、引出し３が前方に出てきてしまって引出し３に収納された衣類等の物品の荷重等により収納ケース１が棚等から落下する等の不具合を防止できる。
【００２３】
また、引出し３は、山状部７のなだらかな奥側の傾斜面１４が外枠２の底部５内面に上方から接するので、外枠２に対して引出し３を押し込む際、引出し３を押す抵抗が大きくなって操作感が悪くなることを防止できる。また、引出し３は、一旦、上方へ移動した後に、頂部１３から続く急な手前側の傾斜面１５が外枠２の凹部８に嵌まり出すことで、自重により下方に落ちて、引出し３の山状部７が外枠２の凹部８に嵌まり込むようになっているので、クリック感（操作感）を向上でき、また、容易に、外枠２に対して引出し３を完全に押し込むことができる。
【００２４】
山状部７の引出し側レール１１からの突出寸法は、５〜７ｍｍが好ましい。その理由は、突出寸法が５ｍｍ未満であれば、引出し３が自動的に外枠２に対して押し込まれていく効果が充分に働かなくなり、また、引出し３の山状部７が外枠２の凹部８に嵌まり込んだ状態において、山状部７が凹部８から抜け出やすくなり、外枠２に対する引出し３の位置決め安定性が良好でないためであり、また、突出寸法が７ｍｍを超えると、引出し３を押し込んでいき、引出し３の山状部７が外枠２の凹部前方部９を乗り越える際、押し込みに対する抵抗が大きく、操作感が良好でないためである。また、引出し３の位置決め安定性と引出し３の押し込みの際の操作感を更に良好にするためには、山状部７の引出し側レール１１からの突出寸法を、５．５〜６．５ｍｍにすることが望ましい。
【図面の簡単な説明】
【００２５】
【図１】本発明の実施の形態による収納ケースを示す斜視図である。
【図２】本発明の実施の形態による収納ケースにつき、外枠に引出しを押し込む状態を示す図である。
【図３】本発明の実施の形態による収納ケースの一部としての引出しを示す斜視図である。
【図４】本発明の実施の形態による収納ケースの一部としての外枠の前部の拡大斜視図である。
【図５】本発明の実施の形態による収納ケースの断面図である。
【符号の説明】
【００２６】
１‥‥収納ケース、２‥‥外枠、３‥‥引出し、４‥‥引出し用開口部、５‥‥底部、６‥‥外枠側レール、７‥‥山状部、８‥‥凹部、９‥‥凹部前方部、１０‥‥前カバー部、１１‥‥引出し側レール、１２‥‥切り欠き部、１３‥‥頂部、１４‥‥奥側の傾斜面、１５‥‥手前側の傾斜面、１６‥‥底部、１７‥‥側壁
【図１】
2005080709.tif 000003
【図２】
2005080709.tif 000004
【図３】
2005080709.tif 000005
【図４】
2005080709.tif 000006
【図５】
2005080709.tif 000007